(57)【特許請求の範囲】
【請求項１】
基地局システムであって、
利用可能な共有資源を追跡するよう動作する共有無線資源制御装置と、
前記共有無線資源制御装置と連動的な通信状態にあって、少なくとも１つの移動体のハンドオーバを容易にするために、複数の移動体用受信データパケットのパケットルーティングを行うパケットハンドオーバ制御装置と、
前記パケットハンドオーバ制御装置に連動的に接続され、無線資源要求データを含むパケットデータプロトコル（ＰＤＰ）コンテキスト情報を格納するメモリと
を含み、前記パケットハンドオーバ制御装置は、格納されたＰＤＰコンテキスト情報に含まれている前記無線資源要求データに基づき、移動体に対する最適な受信側セルを決定することを特徴とする基地局システム。
【請求項２】
請求項１に記載の基地局システムであって、
前記メモリは、前記無線資源要求データを移動体単位に格納することを特徴とする基地局システム。
【請求項３】
請求項１または２に記載の基地局システムであって、
前記パケットハンドオーバ制御装置は、許容可能な移動体資源について、受信側セルの選択後、前記格納された無線資源要求データに基づき、ハンドオーバに指定された移動体用の受信側セルネットワーク要素と再取決めを行うことを特徴とする基地局システム。
【請求項４】
請求項２に記載の基地局システムであって、
前記パケットハンドオーバ制御装置は、少なくとも１つの移動体に対して、他の移動体に対応付けられた前記格納された無線資源要求データに基づき、無線資源を再割当てすることを特徴とする基地局システム。
【請求項５】
請求項１に記載の基地局システムであって、
前記パケットハンドオーバ制御装置は、セル輻輳データに基づき、少なくとも１つの移動体に無線資源を再割当てするように機能することを特徴とする基地局システム。
【請求項６】
請求項１に記載の基地局システムであって、
前記パケットハンドオーバ制御装置は、他のネットワークハンドオーバ制御装置に対するハンドオーバ資源問合せメッセージ、ハンドオーバ資源応答メッセージ、ハンドオーバ要求、パケットデータプロトコルコンテキスト中断メッセージ、及び再活性化パケットデータプロトコルコンテキストメッセージ、の内少なくとも１つを示すデータを生成し受信することを特徴とする基地局システム。
【請求項７】
請求項１に記載の基地局システムであって、
前記共有無線資源制御装置と前記パケットハンドオーバ制御装置は、前記複数の移動体とのデータ通信を行うためのパケット交換フォーマットと回線交換フォーマットの双方を利用するデジタルＲＦ通信ネットワーク要素の一部であることを特徴とする基地局システム。
【請求項８】
請求項１に記載の基地局システムであって、
前記パケットハンドオーバ制御装置に連動的に接続され、パケット交換ネットワーク要素からパケットを受信し、移動体に対してハンドオーバ制御パケットを提供するパケットルータを含むことを特徴とする基地局システム。
【請求項９】
請求項１に記載の基地局システムであって、
前記共有無線資源制御装置は、資源利用可能率更新データに基づき、無線資源要求データを更新することを特徴とする基地局システム。
【請求項１０】
少なくとも第１と第２基地局システム（ＢＳＳ）と連動的通信を行うパケット交換データネットワークを有するデジタル無線システムにおいて、
前記第１基地局システムによる連動的アクセスが可能であり、前記第１ＢＳＳによって応対される複数の移動体に対して動的に更新される無線資源要求データを含む第１メモリであって、前記第１ＢＳＳは、利用可能な共有資源を追跡するよう動作する第１共有無線資源制御装置と、前記共有無線資源制御装置と連動的な通信状態にあって少なくとも１つの移動体のハンドオーバを容易にするために複数の移動体用受信データパケットのパケットルーティングを行う第１パケットハンドオーバ制御装置とを含む、前記第１メモリと、
前記第２基地局システムによる連動的アクセスが可能であり、前記第２ＢＳＳによって応対される複数の移動体に対して動的に更新される無線資源要求データを含む第２メモリであって、前記第２基地局システムは、第２共有無線資源制御装置と、前記２共有無線資源制御装置と連動的な通信状態にあって少なくとも１つの移動体のハンドオーバを容易にするために複数の移動体用受信データパケットのパケットルーティングを行う第２パケットハンドオーバ制御装置とを含む、前記第２メモリと
を備え、前記動的に更新される無線資源要求データは、パケットデータプロトコル（ＰＤＰ）コンテキスト情報に含まれるものであり、前記第１及び第２パケットハンドオーバ制御装置は、前記第１及び第２メモリの内１つのメモリ中のＰＤＰコンテキスト情報に含まれている前記動的に更新される無線資源要求データに基づき、移動体に対する最適な受信側セルを決定することを特徴とするシステム。
【請求項１１】
請求項１０に記載のシステムであって、
前記第１及び第２パケットハンドオーバ制御装置は、許容可能な移動体資源について、受信側セルの選択後、前記第１及び第２メモリの内１つのメモリ中における動的に更新される無線資源要求データに基づき、ハンドオーバに指定された移動体用の受信側セルネットワーク要素と再取決めを行うことを特徴とするシステム。
【請求項１２】
請求項１０に記載のシステムであって、
前記第１ＢＳＳは、前記第１メモリ中に格納された前記動的に更新される無線資源要求データに基づき、前記第２ＢＳＳに対するハンドオーバ共有資源問合せを示すデータを生成し、
前記第２ＢＳＳは、前記第２ＢＳＳの共有資源利用可能率データに基づき、前記第１ＢＳＳに対するハンドオーバ資源応答を示すデータを生成し、
前記第１ＢＳＳは、前記パケットデータ交換ネットワーク要素に対して、前記第２ＢＳＳにハンドオーバされる移動体に対応するパケットデータプロトコルコンテキスト中断メッセージを示すデータを生成し、
前記第２ＢＳＳは、前記パケットデータ交換ネットワークに対して、前記第１ＢＳＳからのハンドオーバの成功に応じて、パケットデータプロトコルコンテキスト再活性化を示すデータを生成することを特徴とするシステム。
【請求項１３】
請求項１０に記載のシステムであって、
前記第１パケットハンドオーバ制御装置は、少なくとも１つの移動体に対して、他の移動体に対応付けられた前記動的に更新される無線資源要求データに基づき、無線資源を再割当てすることを特徴とするシステム。
【請求項１４】
請求項１０に記載のシステムであって、
前記第１パケットハンドオーバ制御装置は、セル輻輳データに基づき、少なくとも１つの移動体に無線資源を再割当てするように機能することを特徴とするシステム。
【請求項１５】
請求項１０に記載のシステムであって、
前記第１及び第２基地局システムは、前記複数の移動体とのデータ通信を行うためのパケット交換フォーマットと回線交換フォーマットの双方を利用するデジタルＲＦ通信ネットワーク要素の一部であることを特徴とするシステム。
【請求項１６】
請求項１０に記載のシステムであって、
前記第１ＢＳＳには、前記第１パケットハンドオーバ制御装置に連動的に接続され、前記パケット交換データネットワーク要素からパケットを受信し、移動体に対してハンドオーバ制御パケットを提供する第１パケットルータが含まれることを特徴とするシステム。
【請求項１７】
請求項１６に記載のシステムであって、
前記第２ＢＳＳには、前記第２パケットハンドオーバ制御装置に連動的に接続され、前記パケット交換データネットワーク要素からパケットを受信し、移動体に対してハンドオーバ制御パケットを提供する第２パケットルータが含まれことを特徴とするシステム。
【請求項１８】
請求項１０に記載のシステムであって、
前記第１共有資源制御装置は、資源利用可能率更新データに基づき、無線資源要求データを更新することを特徴とするシステム。
【請求項１９】
無線ネットワークハンドオーバ制御方法であって、
パケット交換データネットワーク要素からパケット交換データを、基地局システムによって、受信する段階と、
少なくとも１つの移動体のハンドオーバを容易にするためにパケットルーティングを複数の移動体に提供することによって前記パケット交換データを受信する移動体の基地局システム制御ハンドオーバを、前記基地局システムによって、提供する段階と、
利用可能な共有資源を共有無線資源制御装置により追跡する段階と、
前記基地局システムによるアクセスのために、無線資源要求データを含むパケットデータプロトコル（ＰＤＰ）コンテキスト情報を格納する段階と、
格納されたＰＤＰコンテキスト情報に含まれている前記無線資源要求データに基づき、移動体に対する最適な受信側セルを決定する段階と
を含むことを特徴とする方法。
【請求項２０】
請求項１９に記載の方法であって、前記格納する段階は、
前記基地局システムによるアクセスのために、移動体単位に前記無線資源要求データを格納することを含む、方法。
【請求項２１】
請求項１９または２０に記載の方法であって、
許容可能な移動体資源について、受信側セル選択の後、前記格納された無線資源要求データに基づき、ハンドオーバに指定された移動体用の受信側セルネットワーク要素と再取決めする段階を含むことを特徴とする方法。
【請求項２２】
請求項２０に記載の方法であって、
少なくとも１つの移動体に対して、他の移動体に対応付けられた前記格納された無線資源要求データに基づき、無線資源を再割当てする段階を含むことを特徴とする方法。
【請求項２３】
請求項１９に記載の方法であって、
セル輻輳データに基づき、少なくとも１つの移動体に無線資源を再割当てする段階を含むことを特徴とする方法。
【請求項２４】
請求項１９に記載の方法であって、
他のネットワークハンドオーバ制御装置に対するハンドオーバ資源問合せメッセージ、ハンドオーバ資源応答メッセージ、ハンドオーバ要求、パケットデータプロトコルコンテキスト中断メッセージ、及び再活性化パケットデータプロトコルコンテキストメッセージ、の内少なくとも１つを含むメッセージを生成し受信する段階を含むことを特徴とする方法。
【請求項２５】
請求項１９に記載の方法であって、
前記基地局システムによって、移動体とのデータ通信を行うための、パケット交換フォーマットと回線交換フォーマット双方のフォーマットのデータ通信を行うことを含む方法。
【請求項２６】
請求項２０に記載の方法であって、
前記基地局システムによって、前記格納された無線資源要求データに基づき、移動体に対してハンドオーバ制御パケットを提供することを含む方法。
【請求項２７】
請求項２１に記載の方法であって、
許容可能な移動体資源について、受信側セル選択の後、ハンドオーバに指定された移動体用の受信側セルネットワーク要素と再取決めする段階は、移動体と対応付けられたＰＤＰコンテキストの少なくとも一部を中断することを含む方法。
【請求項２８】
請求項２１に記載の方法であって、
許容可能な移動体資源について、受信側セル選択の後、ハンドオーバに指定された移動体用の受信側セルネットワーク要素と再取決めする段階は、移動体と対応付けられたＰＤＰコンテキストの少なくとも一部を不活性化することを含む方法。
【請求項２９】
請求項２１に記載の方法であって、
許容可能な移動体資源について、受信側セル選択の後、ハンドオーバに指定された移動体用の受信側セルネットワーク要素と再取決めする段階は、移動体と対応付けられたＰＤＰコンテキストの少なくとも一部を再活性化することを含む方法。
【発明の詳細な説明】
【０００１】
発明の分野
本発明は、一般的に、受信可能領域を横切る移動体のハンドオーバを容易にするための方法とシステムに関し、特に、パケット交換移動電話ネットワークにおけるネットワーク制御ハンドオーバを容易にするための方法とシステムに関する。
【０００２】
発明の背景
無線電話通信システム等の通信システムには、移動体が１つの受信可能領域から他の受信可能領域へ移動するに伴い、あるいは輻輳が発生した時、１つの受信可能領域から他の受信可能領域へハンドオフされる、ラップトップコンピュータ、手持ち式通信装置、又は他の移動式装置等の移動体が必要である。この技術分野では既知なように、ハンドオーバは、移動体に割当てられた無線資源と１つの受信可能領域から他の受信可能領域へ、その制御を共に合意して転送することである。移動体支援ハンドオーバを用いるデジタル無線システムもあるが、このシステムでは、他の周波数やコードへのハンドオーバを行うか否かを移動体が制御する。更に、移動体によるセルの再選択の場合、どのセルを選択すべきかという判断は、通常、無線資源ネットワークには明らかである。他の従来のハンドオーバ動作には、ネットワークベースのハンドオーバ制御を採用し得るが、ここでは、例えば、基地局システムが、該当する受信側セルを決定し、また、移動体のハンドオーバを制御する。例えば、このようなシステムとして、ＧＳＭシステム等の回線交換デジタル移動電話通信システムを有するシステムが知られている。
【０００３】
リアルタイム画像や他のデータ等、リアルタイムデータの通信に対する需要の増大に伴い、改良型回線交換デジタル移動電話通信システムが提案されている。例えば、欧州通信標準化機関（Ｆ―０６９２１、Ｓｐｐｈｉａ  Ａｎｔｉｐｏｌｉｓ  Ｃｅｄｅｘ、フランス）から入手可能で本明細書中に引用参照する欧州標準ＧＳＭ０３．６０Ｖ６．２．０に全般的に述べてある一般パケット無線サービス（ＧＰＲＳ）ネットワークには、データ（音声、画像等）のパケット交換と回線交換を行うために、回線交換デジタル移動電話通信システムで採用されるパケット交換デジタル移動電話通信システムが記載されている。パケットデータ交換ネットワークは、移動体間で共有される無線資源割当てを用いる。対照的に、回線交換通信システム（例えば、ＴＤＭＡベースのシステム）は、通常、特定の移動体に割当てられる帯域幅の離散的な部分を割当てる。例えば、特定のＴＤＭＡタイムスロットは、特定の移動体用に専用化し得る。ＧＰＲＳネットワークは、情報の宛先と移動体との間の媒介として機能する。しかしながら、パケット交換移動電話ネットワークは、通常、リアルタイム接続指向の通信の相対的に一貫したハンドオーバをサポートするのに充分な移動度管理機能を提供しない。
【０００４】
また、例えば、ＧＰＲＳシステムにおいて、基地局システム間において直接的な物理リンクは無い。更に、パケットデータ交換ネットワークノードは、通常、ＳＧＳＮが、それによって応対されるＢＳＳのみを認識しており、また、他のＢＳＳを認識していないため、基地局システム間において情報を転送することができない。ネットワーク制御ハンドオーバを容易にするために、移動体制御ハンドオーバの代わりにＧＰＲＳシステムや同様なタイプのシステムに改良を加えることが望ましい。
【０００５】
単一の移動体には、多数の無線資源が必要な場合がある。例えば、移動体がラップトップコンピュータである場合、パケット領域の無線資源は、例えば、マルチメディアアプリケーション、コンピュータ上で動作するモデム通信アプリケーション、及び他の無線電話資源要求アプリケーションを含む多数のソフトウェアアプリケーションに対して共有し得る。ＧＰＲＳネットワークは、パケットモード技術を用いて高速及び低速のデータ及び信号を転送する。これが行おうとしていることは、ネットワークと無線資源の使用を最適化することである。無線サブシステムとネットワークサブシステムとの間の区別は、ネットワークサブシステムが他の無線アクセス技術で再利用可能にする試みにおいて厳密に維持される。
【０００６】
しかしながら、このようなパケット交換移動電話ネットワークは、通常、ネットワーク制御ハンドオーバをサポートしない。例えば、ＧＰＲＳネットワークベースのシステムでは、セル選択とルーティング及びネットワークに対する所在領域更新を実行することは、移動体の役割である。移動体へのパケットの流れは、セル更新手順が成功裏に完了するまで中断し得るため、移動体が１つのセルから他のセルへ移動する時、問題が生じ得る。また、これによって、ハンドオーバが成功裏に完了するのに要する時間が増大する。また、移動体が、共有タイムスロット又は共有コード等の新たな共有資源を要求し、また、移動体が新たな資源を要求する場合、例えば、新たなソフトウェアアプリケーションが、新たな無線リンクを要求する場合、移動体システムは、受信側セルが、該当する期間、該当する資源要求を有しているか否か判断するための必要な情報を持っていない場合がある。パケット領域でのリアルタイムサービスの場合、ストリーミング映像等のマルチメディア情報は、移動体制御ハンドオーバ中、意に反して中断されることがある。更に、基地局システムは、輻輳が決定的であっても、移動体をハンドオーバできない。
【０００７】
ＧＰＲＳシステムに対して提案された強化策もまた、セル単位でサービステーブルの性質を利用するが、ここでは、パケットデータプロトコル（ＰＤＰ）コンテキストは、基地局システムによってではなく、パケット交換ネットワーク要素によって維持される。パケット交換ネットワーク要素は、ＳＧＳＮである。例えば、これらＰＤＰコンテキストは、セッション単位で、与えられた移動体に対して、例えば、特定のセッションに対するビットレートを示す発信側トラフィックディスクリプタデータ及び与えられたセッションに対する許容可能な遅延等の他の性能ディスクリプタを含み得る。与えられた移動体に対して、複数のセッションが定義される。例えば、移動体は、音声セッション、インターネットウェッブブラウジングセッション、及び他のセッションを同時に要求する場合がある。与えられた移動体に対する資源要求情報は、パケットデータ交換ネットワークによって維持される。しかしながら、ＳＧＳＮによってセル単位でこの情報を維持することは、トラフィック管理に関係する機能を実行する基地局システムの能力を制限する。従って、応対側ＧＰＲＳサポートノード（ＳＧＳＮ）には、いずれか与えられた移動体がセルに配置される毎に通知が必要である。これによって、トラフィック管理に関係する機能を実行する基地局システムの能力が極度に制限される。現在は、ＢＳＳによる移動体のハンドオーバは、パケット交換ネットワーク要素と独立に実行できない。
【０００８】
更に、パケットデータ交換ネットワークは、通常、パケットサービスに対する要求を受取り、そのパケットを該当する基地制御装置に転送する。ＳＧＳＮからＢＳＳへ送られたパケットには、特に、移動体識別子（ＭＩＤ）やセル識別子（ＣＥＬＬＩＤ）を含むアドレス指定情報が含まれる。従って、ＳＧＳＮは、ハンドオーバ中に、移動体をセルに振向ける必要があるが、必要なハンドオーバ情報を持たない。基地制御装置は、その情報を、ＳＧＳＮからのアドレス情報が示す特定のセルへ受け渡す。ＳＧＳＮは、セル単位に、パケットをスケジュール化し、パケットを（移動体の他に）セルへアドレス指定するため、基地局システムは、唯単に、プロトコル変換の実行とその情報をいつ送信すべきかというタイミングを知るだけでよい。しかしながら、ＢＳＳがパケットルーティングを実行して、ＳＧＳＮのオーバーヘッドを削減できれば望ましい。更に、現行のＧＰＲＳシステムは、移動体を輻輳の程度が少ないセルに導くことがないため、ＢＳＳが無線関連情報に基づき、トラフィック管理を実行する必要がある。
【０００９】
ネットワークベースのハンドオーバに対する１つの既知の技術が、ＧＳＭシステム等のデジタル移動電話回線交換システムにおいて用いられる。しかしながら、このようなシステムは、通常、パケット交換情報に対応してハンドオーバを容易にするようにはなっていない。通常、現行のネットワーク支援ハンドオフは、信号強度表示と無線資源品質に基づき、ハンドオーバするのみである。通常、既知のネットワーク支援ハンドオーバは、示された移動体単位のサービス品質を考慮しない。パケット交換システムの場合、共有無線資源の複数のユーザニーズを考慮するネットワーク制御ハンドオーバを有することが望ましい。例えば、このようなシステムが、他の移動体がそのサービスの品質を改善し得るように、例えば、新たな移動体が新たな無線資源を要求した場合、１つの移動体を他の受信可能領域へ移動させる能力を有することが望ましい。更に、パケットデータ交換を用いる既知のデジタル移動電話通信システムでは、ハンドオーバの間、サービス品質変更の再取決めは、その通話中許されない。その結果、移動体は、そのハンドオーバの間、資源を追加したり、資源を削減したりできない。
従って、パケット交換デジタル無線システムにおいてネットワーク制御ハンドオーバを容易にする装置と方法に対する必要性がある。
【００１０】
好適な実施例の詳細な説明
一般的に、無線ネットワークにおいてネットワーク制御ハンドオーバを容易にするための方法と装置は、パケット交換と、タイムスロット等の共有資源との使用を採用し、また、少なくとも１つの移動体のハンドオーバを容易にするためにパケットルーティングを複数の移動体に提供することにより、移動体のネットワーク要素（基地局システム等）制御ハンドオーバを行う。基地局システムは、移動体単位で、ＰＤＰコンテキスト情報等、記憶された無線資源要求データを含むメモリ要素であって、データベースや他の該当するメモリ等のメモリ要素を採用する。ネットワークの基地局システムレベルにおいて、記憶された無線資源要求データのパケットルーティング、記憶、メンテナンスを行うことによって、基地局システムへパケットを提供するパケット交換ネットワーク要素の制御無しで、ネットワーク制御ハンドオーバを発生し得る。
【００１１】
一実施例において、例えば、基地局システム又は他の然るべきネットワーク要素において用いられる無線ネットワークハンドオーバ制御装置は、移動体間で共有される周波数、タイムスロット、コード、又は、他の無線資源等の利用可能な共有資源を追跡するために機能する共有無線資源制御装置を含み、また、パケットハンドオーバ制御装置を含む。パケットハンドオーバ制御装置は、共有無線資源制御装置と連動的な通信状態にあり、また、パケット交換ネットワークから受信したデータパケットのパケットルーティングを行う。パケットルーティングは、パケット交換ネットワークが、基地局システムに対して移動体のルーティングを行うように、また、ＢＳＳ等の共有無線資源制御装置が、（例えば、コンテキストＩＤ等の）パケットに含まれる移動体用のコンテキストに対する識別子を受信し、転送し、また、コンテキストＩＤ／セル参照テーブル又は他のしくみに基づき、そのパケットを該当するセルへ転送するように改良される。このことは、移動体単位で実行される。パケットは、該当する移動体に応対するＢＳＳへ転送される。アドレス指定手順は、コンテキスト又はフロー識別子すなわちＩＰアドレスや他の該当する情報から派生した識別子にマッピングされたＩＰアドレス等のネットワークアドレスに基づくことができる。更に、開示された本方法と装置は、受信側基地局システム、又は他のネットワーク要素、及び発信側基地局システム又は他のネットワーク要素において、資源の割当て、解放、パケットデータコンテキストの生成及び削除を容易にすることを含む。また、本システムと方法は、受信側と発信側ネットワーク要素を操作して、パケット交換ネットワークとは独立に、トラフィック管理のためにハンドオーバを実施する。
【００１２】
他の実施例において、ＳＧＳＮ又は他の該当する要素等のパケット交換データネットワーク要素は、パケット交換データネットワーク要素によって応対されようとしている基地局システム用の基地局システム識別データを示すデータを記憶する。更に、パケット交換データネットワーク要素によって応対される基地局システムに隣接する他の基地局システムに対する他のパケット交換データネットワーク要素を示すデータもまた記憶される。次に、パケット交換データネットワーク要素は、記憶された基地局システム識別子データと記憶されたパケット交換データネットワーク要素識別子データに基づき、該当する基地局システム又は他のパケット交換データネットワーク要素へメッセージのルーティングを行う。
【００１３】
図１は、共有資源ハンドオーバ制御機能を持つ第１基地局システム１４及び共有資源ハンドオーバ制御機能を持つ第２基地局システム１６等、無線資源ネットワーク制御要素と連動して通信を行うパケット交換ネットワーク要素１２を１つ以上有するパケット交換ネットワーク１１を有するデジタル無線システム１０の一例を示す。説明のみを目的として、ＧＰＲＳシステムを参照して、本発明の説明を行う。しかしながら、本発明は、パケット交換機能を有する同様なあらゆる無線通信システムに適用し得ることが理解されよう。パケット交換ネットワーク要素１２は、希望に応じて、ゲートウェイＧＰＲＳ（ＧＧＳＮ）サポートノード１８に連動的にリンクし得る。また、パケット交換ネットワーク要素１２は、この技術分野では既知なように、移動体切換センタ２２と、無線による伝送（例えば、フルレート、ハーフレート、適応型マルチレート）に適したフォーマットで符号化された音声を公衆交換電話網（ＰＳＴＮ）による伝送（例えば、Ａ−則ＰＣＭ方式）に適した音声に変換するトランスコーダ２４と、を介して公衆交換電話網２０に接続し得る。例えば、パケット交換ネットワーク要素１２は、ＳＧＳＮ又は他の同様ないずれかのパケット交換ネットワーク要素でもよい。
【００１４】
本実施形態において、基地局システム１４及び１６は、全体的に２６に示す無線電話システムの一部である。一般的に、第１基地局システム１４から第２基地局システム１６への移動体２８のハンドオーバは、移動体２８が受信可能範囲境界３０を横切るか又はそれに充分接近した場合に行われる。移動体２８は、同様ないずれかの通信ユニット、ソフトウェアアプリケーション、又は無線リンク３２を介して基地局システムと通信する他のエンティティでもよい。矢印３４は、例えば、あるセルから他のセルに、受信可能領域の境界を横切る移動体２８の移動方向を示す。
【００１５】
この技術分野では既知なように、ゲートウェイサポートノード１８（ＧＧＳＮ）は、リンク３６を介してＳＧＳＮ１２に然るべくリンクし得る。同様に、パケット交換ネットワーク１１はリンク３８を介してトランスコーダ２４に接続され、またトランスコーダ２４はリンク４０介してＭＳＣ２２に接続され、更に、ＭＳＣ２２はリンク４２介してＰＳＴＮ２０に接続される。
【００１６】
パケット交換ネットワーク要素１２は、リアルタイムの、可聴音、映像、音声、データ、又は他の情報等のパケットデータをパケット方式で通信するリンク４４を介して第１基地局システム１４に連動して接続される。また、共有資源ハンドオーバ制御機能を持つ第２基地局システム１６もリンク４６を介してパケット交換ネットワーク要素１２に接続される。また、希望に応じて、直接通信リンク４８も第１基地局システム１４と第２基地局システム１６との間で用い得る。
【００１７】
共有資源ハンドオーバ制御機能を持つ第１基地局システム１４は、リンク４４を介してパケット交換ネットワーク要素１２からパケット交換データを受信する。第１基地局システム１４は、あるセルから他のセルへの移動体のハンドオーバを容易にするために１つ以上の移動体に対してパケットルーティングを提供することによって、移動体２８の基地局システム制御ハンドオーバを提供する。従って、パケットルーティングは、パケット交換ネットワークとは対照的に、基地局システムによって実行される。ＢＳＳは、いずれか所定のパケットが宛てられた移動体のセルを決定し、そして、それを該当するセル内での送信用に振向ける。ＢＳＳは、共有チャネルに関する移動体のデータベースを保持し、また（コンテキストＩＤ単位で）どの移動体がどのセルにあるかに関するテーブルを保持し、更に、パケットのコンテキストＩＤに基づきパケットを該当するセルに転送する。従って、ＳＧＳＮは、セルＩＤの蓄積や送信の必要はなく、例えば、所定の移動体のコンテキストＩＤと、標準移動要求手順により決定されるそのコンテキストＩＤに対する該当ＢＳＳとを識別する参照用テーブルによって、適切なパケットを適切なＢＳＳに転送するだけでよい。第１基地局システム１４及び第２基地局システム１６の構成要素は、ほぼ同一である。従って、以降の説明は、第１基地局システム１４について行うが、第２基地局システム１６にも同様に適用し得る。
【００１８】
図２において、図１のシステムに無線ネットワークハンドオーバ制御機能を提供する方法には、ブロック２００に示すように、受信側基地局システムへの発信側基地局システムハンドオーバ共有資源問合せを生成することが含まれる。説明の目的であって、限定のためではないが、第１基地局システム１４を発信側基地局とし、また第２基地局システム１６を受信側基地局と見なす。発信側と受信側候補基地局システムとの間の信号伝送リンクの確立は、発信側ＢＳＳと受信側ＢＳＳとの間の直接通信リンク４８等の物理リンク、あるいはＢＳＳ、ＳＧＳＮ、及びＧＧＳＮ等、１つ以上のネットワーク要素を横断する論理リンクを用いることによって実行し得る。本実施形態において、パケット交換ネットワーク要素１２は、ＳＧＳＮ等、単一のパケット交換ネットワーク要素を有すると見なす。本実施形態において、パケット交換ネットワーク要素１２は、例えば、ＳＧＳＮが何れも応対する基地局（例えば、ＢＳＳ１４と１６）用の、又はＳＧＳＮが応対している１つ以上の基地局システムに隣接する基地局システム用の基地局システム識別データと共に、基地局システムを表すデータを含むテーブルを記憶する。このように、パケット交換ネットワーク要素１２は、パケット交換データネットワーク要素が応対している基地局システム用の基地局システム識別を表すデータを記憶し、及び／又はパケット交換ネットワーク要素１２が応対している基地局システムに隣接する基地局システム用等、他のパケット交換データネットワーク要素識別データを表すデータを記憶する。パケット交換ネットワーク要素１２は、リンク４４を介して発信側ＢＳＳから宛先局としての基地局システム識別子を有するパケットを受信する際、宛先ＢＳＳに応対していることを示すテーブル中のＢＳＳであるならば、その宛先ＢＳＳにそのパケットを転送する。そうでない場合、パケット交換ネットワーク要素１２は、パケットのＢＳＳ識別子によって識別される宛先ＢＳＳに応対する他の該当するパケット交換データネットワーク要素にパケットを転送する。例えば、パケット交換ネットワーク要素１２が記憶するテーブルは、ルーティングテーブルの形式でもよく、このテーブルは、宛先基地局システムがパケット交換データネットワーク要素に応対されているかどうかを判断し、また、応対していない場合、宛先基地局システムに対応するパケット交換ネットワーク要素のパケットデータプロトコルアドレス（例えば、インターネットプロトコルアドレス）を判断するために用いられる。他の選択肢として、直接通信リンク４８は、ハンドオーバの目的に供する基地局システム間直接信号送信用の機構として用い得る。
【００１９】
共有資源ハンドオーバ制御機能を持つ各基地局システム１４及び１６は、移動体単位で共有無線資源要求データを記憶している。例えば、ＧＰＲＳ規格Ｎｏ．０３．６０ｖ６．２．０（本明細書中に引用参照）で定義されているように、例えば、パケットデータプロトコル（ＰＤＰ）コンテキストは、データベース中又は移動体単位で基地局システム１４と１６がアクセス可能な他の該当するメモリ中に記憶されている。例えば、移動体用のＰＤＰコンテキストの例は、ＧＰＲＳ規格Ｎｏ．０３．６０ｖ６．２．０の８１頁にある。コンテキストは、無線資源要求の変化に応じて、ＢＳＳによって動的に更新される。例えば、共有無線資源要求データは、例えば、移動体が該当するグループにグループ化された場合、移動体グループ単位でも記憶し得る。基地局システム１４及び１６は、移動体単位で無線資源要求データを記憶するためのデータベースを含み得るが、データベースは、該当する基地局システムによるアクセスに適した場所であればどこでも配置し得ることが理解されるであろう。例えば、ハンドオーバ共有資源問合せは、第１基地局システム１４から第２基地局システム１６へ等の、他のネットワークハンドオーバ制御装置へのハンドオーバ資源問合せメッセージでもよい。この問合せは、該当するＣＤＭＡベースのハンドオーバ制御パケットの形式でもよい。ハンドオーバ共有資源問合せには、例えば、受信側基地局システムが、必要な利用可能な符号、タイムスロット、又はあるセルから他のセルへハンドオフされる予定の移動体に対応するための他の資源を有するか否かを表すデータを含んでもよい。ハンドオーバ共有資源問合せは多くの形態をとってもよく、例えば、要求されたハンドオーバをサポートする能力を示す受信側基地局システムによって応答されるデータを含む問合せが生成される単純な問合せの形態でもよい。他の選択肢として、要求ハンドオーバをサポートするために、有効なＰＤＰコンテキストの全て又は所定のサブセットであり得る資源の実際の割当てにつながる暗黙資源割当問合せも用い得る。単純な問合せの場合、発信側ＢＳＳは、問合わせを受けた受信側セルのリストから理想的な受信側セルを判断して、ハンドオーバ手順を開始する。
【００２０】
ブロック２０２に示すように、第２基地局システム１６等の受信側基地局システムは、例えば、その問合せに対するハンドオーバ共有資源応答を生成して、発信側ＢＳＳに対して、共有資源利用可能率テーブルを評価することによって、発信側ＢＳＳが利用可能な該当する共有資源を有しているかどうかを示す。例えば、受信側基地局システムは、様々なパケット用の符号やタイムスロット等の共有資源が、ハンドオーバ対象の移動体が利用可能であるかどうかを示し得る。ブロック２０４に示すように、ハンドオーバ共有資源応答が発信側基地局システム１４に渡された後、プロセスには、例えば、発信側基地局システム１４によって、パケット交換ネットワーク要素１２に対するパケットデータプロトコルコンテキスト中断メッセージを生成することが含まれる。所定のいずれかの移動体に対するハンドオーバを実行する場合、基地局システムは、移動体の有効なパケットデータプロトコルコンテキストを全て認識した後、ハンドオーバプロセスを開始し得る。記憶された共有無線資源要求データは、これもＰＤＰコンテキスト情報を指すが、パケット交換ネットワーク要素１２、移動体、又は他の該当するあらゆる送信元を含む該当するいずれかの送信元から取得し得る。全てのＰＤＰコンテキストのハンドオーバが成功し得ない場合、発信側ＢＳＳは、新しい一組の受信側候補で問合せプロセスを繰返し、ハンドオーバ試行を遅らせるか又は１つ以上のＰＤＰコンテキストを中断又は終了させて、ハンドオーバを進めてもよい。発信側ＢＳＳが、複数の受信側ＢＳＳからの応答を受信した後、発信側ＢＳＳは、移動体をハンドオーバし得る理想的な受信側セルを判断できる。理想的な受信側セルは、例えば、従来の最適セル選択アルゴリズムに基づいてもよく、また全てのＰＤＰコンテキストが受信側ＢＳＳによってサポートされ得るかどうかを新たに含んでもよい。理想的な受信側ＢＳＳが発信側ＢＳＳによって一旦識別されると、発信側ＢＳＳは、理想的な受信側ＢＳＳに通知し、又、受信側ＢＳＳに、ハンドオーバに備えて要求資源を確保するように告げる。
【００２１】
ブロック２０６に示すように、発信側ＢＳＳは、パケット交換ネットワーク要素１２に送信されるパケットデータプロトコルコンテキスト中断メッセージを生成して、移動体に対応付けられた全てのＰＤＰコンテキストを中断状態にすべきであることを示す。パケット交換ネットワーク要素１２は、ＰＤＰコンテキストが有効にされるまで、又は、所定の時間が経過するまで、中断されるＰＤＰコンテキスト用のあらゆるダウンリンクパケットをバッファに入れる。次に、ブロック２０８に示すように、発信側ＢＳＳは、移動体に対するハンドオーバ命令を生成して、移動体に特定の受信側セルに向かうよう命令する。次に、ブロック２１０に示すように、移動体は、ハンドオーバアクセス要求を生成して、ブロック２１０に示すように、その要求を受信側ＢＳＳに伝える。ブロック２１２に示すように、移動体からのハンドオーバを検出する際、受信側ＢＳＳは、パケット交換ネットワーク要素１２に対するパケットデータプロトコルコンテキスト再有効化メッセージを生成して、パケット交換ネットワーク要素１２が、対象の移動体に対応付けられたＰＤＰコンテキストを変更し再有効化するように要求する。要求された変更には、以下の変更、すなわち、セルの変更、１つ以上のＰＤＰコンテキストに対するサービス品質、ハンドオーバ完了後にサポート不可であるＰＤＰコンテキストの削除、又は他の該当するいずれかの変更要求を１つ以上含み得る。例えば、ハンドオーバは、ＰＤＰコンテキストのサブセットにのみ適用可能でもよく、その結果、残る有効なＰＤＰコンテキストが削除される。また移動体からのハンドオーバ検出の際も、受信側ＢＳＳはまた、ハンドオーバ成功表示メッセージを提供することによって、そのハンドオーバが成功裏に完了したことを発信側ＢＳＳに通知する。他の選択肢として、パケット交換ネットワーク要素１２は、ＰＤＰコンテキストを変更し有効化した後、ハンドオーバが成功裏に完了したことを発信側ＢＳＳに示してもよい。受信側ＢＳＳからパケット交換ネットワーク要素１２へのハンドオーバ成功表示の提供と、パケット交換ネットワーク要素１２から発信側ＢＳＳへの成功表示の提供とをブロック２１４及び２１６に示す。次に、ハンドオーバが成功した後、発信側ＢＳＳは、移動体に割当てられた資源を全て解放する。移動体に割当てられた資源は、通常、受信側ＢＳＳからハンドオーバの成功通知を受信した後にのみ、発信側ＢＳＳによって解放される。これによって、移動体は、ハンドオーバの試みが成功しなかった場合、発信側に戻り得る。また、相互パケット交換データ要素通信が用いられる場合、送信元ＳＧＳＮは、全て又はいくつかのＰＤＰコンテキストに対する錨のような役割を果たし得ることも理解されよう。
【００２２】
図３において、ネットワークハンドオーバ制御装置３００の一例には、共有無線資源制御装置３０２、動的ハンドオーバ無線資源要求データ更新機能を有するパケットハンドオーバ制御装置３０４、アップリンク／ダウンリンクパケットルータ３０６、及び応対する移動体単位で共有無線資源要求データ３０９を備えたメモリ３０８が含まれる。例えば、ネットワークハンドオーバ制御装置３００は、第１基地局システム１４及び第２基地局システム１６に実装し得る。ネットワークハンドオーバ制御装置３００は、リンク４４を介して、パケット交換データネットワーク要素からパケットデータ３１０を受信する。パケットデータ３１０は、各移動体用のコンテキストＩＤを含む。ネットワークハンドオーバ制御装置３００は、移動体がハンドオーバされる予定のセルＩＤ、周波数、符号、タイムスロット、あるいは移動体のアクセスを許可するための該当する他のあらゆるデータを含むハンドオーバ制御パケット３１２を提供する。更に、従来のトラフィックパケットもまた、ネットワークハンドオーバ制御装置３００から出力し得る。ネットワークハンドオーバ制御装置３００は、適宜プログラムされたコンピュータ又は複数のコンピュータ、処理システム、あるいはハードウェア、ソフトウェア、又はファームウェアの適切ないずれかの組合せを用いて実現し得る。共有無線資源制御装置３０２は、基地局システムが応対している各移動体用が利用可能な共有無線資源を追跡するように動作する。共有無線資源制御装置３０２は、例えば、ソフトウェアプログラムあるいはハードウェア、ソフトウェア及び／又はファームウェアの組合せでもよく、これによって、例えば、タイムスロット、周波数、符号、又は複数の移動体によってパケット単位で共有される他の該当するあらゆる無線資源等、利用可能な共有資源のテーブルが保持される。
【００２３】
パケットハンドオーバ制御装置３０４は、移動体のハンドオーバを容易にするために、サービスを行っている移動体に対して受信データパケットのパケットルーティングを提供する。パケットハンドオーバ制御装置３０４がパケットルーティングを提供する場合、このパケットルーティングは、パケット交換ネットワーク要素１２から移動される。この構成の利点の１つは、ＢＳＳがＳＧＳＮへ通知せずにハンドオーバを実行し得ることである。パケットルーティングに関しては、パケットハンドオーバ制御装置３０４は、（もしあれば）どのセルに所定の移動体が属し、これによって、どのパケットをどのセルに転送しなければならないかを分っている（移動体のＩＤは各パケットのヘッダに配置される）。
【００２４】
更に、パケットハンドオーバ制御装置３０４は、移動体の資源要求がその有効化の過程で変更されるに伴い、各移動体用のメモリ３０８に記憶された共有無線資源要求データ３０９を動的に更新する。無線資源要求データには、例えば、移動体が要求する符号数、移動体に対するサービス要求品質、又は他の該当するあらゆる無線資源要求データを含み得る。無線資源要求データを更新するか否か判断する場合、パケットハンドオーバ制御装置３０４は、トラフィックの変化又は利用可能な資源の変化（例えば、無線資源の増減）のために変更が必要か、あるいは移動体用の１つ以上のＰＤＰコンテキストを更新するようＳＧＳＮにメッセージを送信する移動体によって、変更が要求されているかどうか判断する。このように、ネットワークベースのパケットハンドオーバ制御装置３０４は、一種のＰＤＰコンテキストマネージャとして機能する。パケットハンドオーバ制御装置３０４は、該当する処理ユニットによって実行されるソフトウェアプログラムとして実現し得る。パケットハンドオーバ制御装置３０４は、移動体の資源要求と、ＢＳＳの利用可能な共有資源とに基づき、所定の移動体に対する無線資源要求データ３０９の有効化又は中断に影響を及ぼす中断及び／又は有効化命令データ３１８を生成する。例えば、所定の移動体用である所定のＰＤＰコンテキストに対応付けられたフィールドには、資源の利用が制限されるため、ＰＤＰコンテキストが中断されたかどうかを示す情報が含まれる。パケットハンドオーバ制御装置３０４は、中断／有効化情報が含まれる無線資源要求データ３０９を取得して、移動体用の資源を動的に更新する。また、パケットハンドオーバ制御装置３０４は、共有無線資源制御装置３０２に対する資源利用可能率更新データ３２２を生成し、これによって、共有無線資源制御装置３０２は、パケットハンドオーバ制御装置３０４が、応対される全ての移動体によって用いられる資源を考慮して、どの共有資源が利用可能であるかを一旦判断すると、利用可能な資源の状態を更新できる。共有無線資源制御装置３０２は、パケットハンドオーバ制御装置３０４用に資源利用可能率データ３２４を生成し、これによって、パケットハンドオーバ制御装置３０４は、新たな資源獲得交渉のためのハンドオーバが対応され得るかどうかに関する判断を行い得る。また、パケットハンドオーバ制御装置３０４は、移動体制御データ３２６及びルータ制御データ３２８を生成する。
【００２５】
移動体制御データ３２６は、パケットルータ３０６に渡され、そこで、移動体のハンドオーバを制御するために、送信用にパケット化される。移動体制御データ３２６は、ハンドオーバ制御パケット３１２を含む。パケットハンドオーバ制御装置３０４用の移動体制御データ３２６の一部として、移動体は、ＳＳＩ、ビット誤り率、及びハンドオーバを行うべきかの判断に用いる他の該当するデータ等、周囲のセルに関する情報を提供する。
【００２６】
パケットハンドオーバ制御装置３０４は、例えば、パケットデータが、所望の移動体が位置している該当するセルに転送されるように、パケットハンドオーバ制御装置３０４が適切にアドレス指定したパケットデータであり得るルータ制御データ３２８を生成する。
【００２７】
異なるＢＳＳに対応付けられたＢＳＳ間のハンドオーバ等、相互ＢＳＳタイプのハンドオーバに関して説明したが、開示した装置と方法は、同じＢＳＳに対応付けられた２つ以上のＢＴＳ間等、ＢＳＳ内ハンドオーバにも適用し得ることが理解されよう。
【００２８】
図３及び４において、ネットワークハンドオーバ制御装置３００の動作の一例を流れ図（図４）として示すが、ここで、装置３００は、パケットネットワークからパケットデータの形式で移動体測定報告データを受信して、隣接セルの信号強度示度を判断する。これをブロック４００に示す。ブロック４０２に示すように、装置は、移動体にサービスし得る他のセルがあるかどうか判断する。ブロック４０４に示すように、ネットワークハンドオーバ制御装置３００は、所定の移動体用のメモリ３０８に記憶されている共有無線資源要求データ３０９を評価する。ブロック４０６に示すように、各受信側セルに対して、パケットハンドオーバ制御装置３０４は、移動体無線資源要求データを受信側セルの共有パケット資源利用可能率データと比較して、受信側セルが、ハンドオーバ対象の移動体が必要とする共有資源要求に対応できるか判断する。ネットワークハンドオーバ制御装置３００は、静的又は動的に、移動体無線資源要求データを受信側セルの共有パケット資源利用可能率データと比較してもよい。例えば、静的な場合、ネットワークハンドオーバ制御装置３００は、現在割当てられている資源のみに目を向ける。また、ネットワークハンドオーバ制御装置３００は、動的にこの比較を実行するが、ここで、他の移動体による所定の資源に対するトラフィック要求を考慮して、移動体を除外又は追加し得るか判断する。
【００２９】
ブロック４０８に示すように、パケットハンドオーバ制御装置３０４は、この技術分野では既知のように、何らかの該当する優先順位規則を用いて受信側ハンドオーバセルを優先順位付けする。ブロック４１０に示すように、プロセスには、応対するセルが最適セルであるかどうかの判断が含まれるが、例えば、これらは、応対するセルのＣ／Ｉが最も高いかどうか、応対するセルが中断を要求するコンテキストの数が最も少ないかどうか、あるいは、移動体に対する他の該当するいずれかの基準である。また、最適セルには、ネットワーク的な視点もあり、これによって、トラフィックと、他のユーザが要求するコンテキストとの双方を考慮する。最適セルは、システム的視点から生じており、唯単に個別の移動体的な視点から生じているものではない。そうである場合、ハンドオーバは行われない。しかしながら、応対するセルが、最適セルではない場合、ブロック４１２に示すように、プロセスには、最適セルの利用可能な資源が、移動体用の現セルの利用可能な資源に等しいか又は適しているか判断することが含まれる。受信側セルの利用可能な資源が、応対するセルの利用可能な共有資源と同じでない場合、ブロック４１４に示すように、プロセスには、移動体と交渉して、新しい割当てに資源を変更（追加又は削減）することが含まれる。例えば、移動体が移動中であり、また受信側セルがデジタル無線通信を必要とするソフトウェアアプリケーションに全て対応できない場合、基地局システムは、移動体と交渉して、アプリケーションの動作を、ある期間停止できるか判断するか、あるいは他の選択肢として、移動体が利用したい新たな資源を受信側セルが持っている場合、新たな資源を用い得るかどうか移動体に問合わせが行われる。従って、移動体に対応付けられたＰＤＰコンテキストの少なくとも一部を中断するか、移動体に対応付けられたＰＤＰコンテキストの少なくとも一部を無効化するか、又は移動体に対応付けられたＰＤＰコンテキストの少なくとも一部を再有効化するかのいずれかによって、受信側セルが選択された後、システムは、ハンドオーバに指定された移動体用の受信側セルネットワーク要素と許容可能な移動体資源を取り決める。
【００３０】
ブロック４１６に示すように、該当する共有資源が一旦決定されると、発信側基地局システムは、選択された受信側セルに対して、移動体が望む共有資源を割当てるように要求する。ブロック４１８に示すように、プロセスには、移動体に通知するために、発信側から移動体へハンドオーバ命令パケットを送信することを含む。例えば、このことは、命令データ３１８をルータに送信することによって実行される。次に、ルータは、共有無線資源制御装置３０２によって制御されるルーティング用テーブルデータを更新する。ルーティング用テーブル更新データ３２９は、動的フィードバックとして機能して、移動体用の無線資源要求データの動的な更新を可能にする。例えば、パケットハンドオーバ制御装置３０４が、所定のＰＤＰコンテキスト用に無線資源を用いることを決定した場合、ルーティング用テーブル更新データ３２９は、共有無線資源制御装置３０２に、既に（又は現時点で）利用できない無線資源はどれかに関して通知する。ブロック４２０に示すように、プロセスには、交渉に基づくメモリ３０８の無線資源要求データ３０９の更新を含む。このことは、資源利用可能率更新データ３２２をパケットハンドオーバ制御装置３０４に送信し、次に、パケットハンドオーバ制御装置３０４が、ルーティング用テーブル更新データ３２９に基づき、無線資源要求データ３０９を更新することによって実行される。
【００３１】
従って、パケットハンドオーバ制御装置３０４は、記憶されている無線資源要求データに基づき、移動体にとって最適な受信側セルを決定する。パケットハンドオーバ制御装置３０４は、記憶されている無線資源要求データに基づき、受信側セルの選択後、ハンドオーバに指定された移動体用に、許容可能な移動体資源について、基地局システム等の受信側セルネットワーク要素と再度取り決める。このように、最初のセッションが始まった後、資源の再交渉は、パケット交換データネットワーク要素１２が介在せずネットワーク制御ハンドオーバ機構によって簡易化し得る。パケットハンドオーバ制御装置３０４は、他の移動体に対応付けられた記憶された無線資源要求データ３０９に基づき、移動体に無線資源を再度割当てる。例えば、他の移動体が新たな資源を要求したり、ハンドオーバされる移動体が共有資源を用いる移動体を優先してその共有資源を拒否されたりすることがある。あるいは、他の選択肢として、パケットハンドオーバ制御装置３０４は、ハンドオーバされる移動体が新たな資源を獲得できるように、受信側セルを離れようとしている又は優先度が低い他の移動体を犠牲にして、あるいは、リアルタイム情報対非リアルタイムデータ等、通信される情報のタイプに基づき、無線資源を再度割当てる。無線資源は、セル内にある他の移動体の資源要求データに基づき、又はセル外にある移動体の資源要求に基づき再度割当てられる。また、パケットハンドオーバ制御装置３０４は、セルの輻輳データに基づき、無線資源を移動体に再度割当てる。
【００３２】
図５は、本発明の一実施形態に基づく送信元ネットワーク要素と移動体との間における有効なセッションの１例を示す。図示するように、基地局システム等のネットワーク要素は、この技術分野では既知のように又ブロック５００に示すように、移動体とのセッションを活性化する。ブロック５０２に示すように、基地局システムは、パケット交換ネットワークによって記憶された又は所定の移動体用の基地局システムに記憶された無線資源要求データ３０９に基づき、資源を移動体が利用可能であるか判断する。資源が利用可能な場合、ブロック５０４に示すように、システムは、資源要求データ３０９をデータベースに記憶する。次に、基地局システムは、ブロック５０６に示すように、無線資源要求データ３０９が指定するように共有パケット資源を割当てる。次に、基地局システムは、ブロック５０８に示すように、必要な共有パケット資源が割当てられることを移動体に通知し、その後、セッションは引き続き、移動体の情報パケットの送信を可能にする。
【００３３】
図６は、基地局システム又は他の該当するネットワーク要素による検出された輻輳に基づくハンドオーバを表す流れ図を示す。ブロック６００に示すように、プロセスには、輻輳に基づくハンドオーバが移動体に必要であるかの判断が含まれる。このことは、例えば、各セルに対してＢＳＳによって蓄積されたトラフィック密度情報に基づき判断される。
【００３４】
図７は、新しい資源を移動体が必要とするか否かの判断に基づき、本発明の一実施形態によるハンドオーバを表す流れ図を示す。ブロック７００に示すように、プロセスには、新たな共有パケット資源に対する移動体による要求に基づき、新しい資源を移動体が必要とするか否かの判断が含まれる。例えば、これを行い得るのは、新しいＰＤＰコンテキストが、移動体に対して活性化され、また移動体が位置している現在のセルが、このコンテキスト及び全ての既に有効なコンテキストに対する資源を充分有していない場合である。
【００３５】
説明したように、パケットハンドオーバ制御装置３０４は、例えば、他のネットワークハンドオーバ制御装置へのハンドオーバ資源要求メッセージ、ハンドオーバ資源応答メッセージ、ハンドオーバ要求、パケットデータプロトコルコンテキスト中断メッセージ、及び再有効化パケットデータプロトコルコンテキストメッセージを表すデータを生成及び受信し、好適には、これらは全てパケット化されて通信が行われる。
【００３６】
図３には示さないが、ネットワークハンドオーバ制御装置３００が、新たなＢＳＳ等の他のネットワーク要素にもある場合、第２ネットワーク要素によりアクセス可能な第２メモリもまた、基地局システム等のネットワーク要素がその要求に応える複数の移動体に対する動的に更新された無線資源要求データ３０９を含む。従って、新たな基地局システムもまた、図３で説明したものと実質的に同一の共有無線資源制御装置を有するハンドオーバ制御装置を含む。多重パケットハンドオーバ制御装置を用いる場合、制御装置は、受信側セルの選択後、動的に更新された無線資源要求データ３０９及びそのメモリの１つに基づき、ハンドオーバ用に指定された移動体からの許容可能な移動体資源と再交渉する。また、基地局システム１４及び１６は、複数の移動体とのデータ通信用のパケット交換フォーマット及び回線交換フォーマット両方を利用するデジタルＲＦ通信ネットワーク要素の一部である。
【００３７】
従って、有効なＰＤＰコンテキスト又は共有無線資源要求データの全て又は予め取り決められた集合に対して保証されるサービス品質は、ハンドオーバが完了した時点で提供し得る。ハンドオーバは、パケット交換ネットワーク要素とは無関係にネットワーク制御されるため、ハンドオーバプロセス中のパケット送受信における分断を容易に最小化し得る。更に、ハンドオーバは、ＰＤＰコンテキストのサブセット又はスーパーセットを含んでもよい。更に、例えば、輻輳データ、共有資源利用可能率、及び他の基準に応じて要求応対処理を柔軟に改善するために、サービス品質基準は、ハンドオーバ中に再度取り決めてもよい。パケット交換ネットワーク要素の介入を最小限に抑えると、より速くハンドオーバを実施し得る。他の利点についても、当業者には明らかであろう。
【００３８】
本発明の様々な側面における他の変更や修正の実現は、当業者には明らかであり、従って、本発明は、上述した特定の実施形態によって制限されないことを理解されたい。従って、本発明は、如何なるまた全ての修正、変更、あるいは本明細書中に開示され又請求された基本的で根源的な原理の精神と範囲内にある等価なものを網羅することを意図する。
【図面の簡単な説明】
【図１】  本発明の一実施例に基づく、パケット交換デジタル通信システムにおけるネットワーク制御ハンドオーバを用いるシステムの一例を示すブロック図である。（ＭＳＣは、移動体交換センタを表し、図中ＭＳＣと表記したものに対しては、他の用語を用いるべきである。）
【図２】  本発明の一実施例に基づく、図１に示すシステムにおいて、メッセージ通信の一例を示すフローチャート。
【図３】  本発明の一実施例に基づく、共有資源ハンドオーバ制御を有する基地局システムの一実施例を示すブロック図。
【図４】  図３の装置における一実施例の動作を示すフローチャート。
【図５】  本発明の一実施例に基づく、セッション確立を示すフローチャート。
【図６】  本発明の一実施例による輻輳判断に基づくパケット交換通信システムにおけるネットワーク制御ハンドオーバの方法を示すフローチャート。
【図７】  本発明の一実施例による、移動体がどのような共有資源を新たに必要とするか決定することに基づく、パケット交換通信システムにおけるネットワーク制御ハンドオーバ方法の一例を示すフローチャート。
【図１】
0004841780.tif 000002
【図２】
0004841780.tif 000003
【図３】
0004841780.tif 000004
【図４】
0004841780.tif 000005
【図５】
0004841780.tif 000006
【図６】
0004841780.tif 000007
【図７】
0004841780.tif 000008